(57)【要約】      （修正有）【課題】簡易に移動が可能であるだけでなくお供えものをいったん動かしても容易に祀り具（神具）のお供え場所や種類などを把握可能な神棚シートを提供する。【解決手段】神棚シート１０は、載置面上に載置可能な神棚シートであって、神棚シートには、神棚と共に祀る少なくとも１種類の祀り具の配置箇所を示す祀り具配置マーク２０が表示される。祀り具配置マークは、米容器配置マーク２１、水容器配置マーク２２、及び、塩容器配置マーク２３、を含む。【選択図】図１
0003232292.tif 000002
【実用新案登録請求の範囲】
【請求項１】
載置面上に載置可能な神棚シートであって、
前記神棚シートには、
神棚と共に祀る少なくとも１種類の祀り具の配置箇所を示す祀り具配置マークが表示されてなる、
ことを特徴とする神棚シート。
【請求項２】
前記祀り具配置マークは、
米をそなえる米用容器の配置箇所を示す米容器配置マーク、
水をそなえる水用容器の配置箇所を示す水容器配置マーク、及び、
塩をそなえる塩用容器の配置箇所を示す塩容器配置マーク、
が含まれる請求項１に記載の神棚シート。
【請求項３】
前記米容器配置マーク、前記水容器配置マーク及び前記塩容器配置マークには、前記神棚シートへの設置順序を示す設置番号マークがさらに添付されてなる、
請求項２に記載の神棚シート。
【請求項４】
前記祀り具マークは、
酒をそなえる酒用容器の配置箇所を示す酒容器配置マーク、及び、
榊をそなえる榊用容器の配置箇所を示す榊容器配置マーク、
がさらに含まれる、
請求項１〜３のいずれか一項に記載の神棚シート。
【請求項５】
前記神棚の配置箇所を示す神棚配置マークがさらに表示されてなる、請求項１〜４のいずれか一項に記載の神棚シート。
【請求項６】
前記神棚シートは、表面に対候性コーティングが施されたシートである、
請求項１〜５のいずれか一項に記載の神棚シート。
【請求項７】
前記神棚シートは、少なくとも２色の色分けが施されたシートである、
請求項１〜６のいずれか一項に記載の神棚シート。
【考案の詳細な説明】
【技術分野】
【０００１】
本考案は、紙や樹脂あるいは薄い金属の神棚シートに関する。より詳しくは、新具の飾り方も一目で容易に把握可能な神棚シートに関する。
【背景技術】
【０００２】
日本では古来より神棚によって神体を祀る習慣が定着している。
従来においては、例えば家庭向けに提供される神棚は木製で立体構造を呈する物が主流であるが、価格面ではやはり相応のコスト高となってしまう。また、日本における比較的狭い住宅事情などから設置場所の問題もあり、さらにはいったん設置した後では手軽に移動できないものであった。
【０００３】
これに対して従来では、例えば下記特許文献１に示すように、折りたたみ式台紙１の内面部に折り紙の技法でしつらえた紙製簡易神棚２を貼り付けたものが提案されている。このように特許文献１の簡易神棚では、台紙を折りたたんだ状態から天地に９０°開くと内部であらかじめとじ込まれている簡易神棚が立体化して形成される。
【０００４】
また、例えば下記特許文献２では、左右の側板１１と、この側板１１の上部に掛け渡された上板１２と、側板１１の背部に掛け渡された背板１３と、を備え、側板１１には左右の側板１１を貫通して破魔矢Ｈを通すための貫通孔１１ａが形成されており、上板１２の上面には幅方向に凹溝１２ａが形成されており、背板１３の裏面には壁に固定された取付け金具Ｋに取り付けるための受け金具１４が設けられた壁掛けモダン神棚が提案されている。この特許文献２の壁掛けモダン神棚によれば、受け金具１４を壁面に固定された取付け金具Ｋに着設又は離脱することによって、棚本体を壁面に着脱自在にすることが可能となっている。
【先行技術文献】
【特許文献】
【０００５】
【特許文献１】実開平７−１８７３号公報
【特許文献２】実用新案登録第３１９９８００号
【考案の概要】
【考案が解決しようとする課題】
【０００６】
しかしながら、上述した特許文献に限らず現在の技術では市場のニーズを適切に満たしているとは言えず、以下に述べるごとき課題が未だに存在する。
【０００７】
すなわち、上記した特許文献を含む従来の神棚では、神具を載置する土台はいずれも立体形状となっており、棚板を壁面に取り付けたり台紙を折りたたんだりなどして設置に手間を要する点は変わっていない。さらに、本来では神棚の祀り方には順番があり、例えば米、酒、塩および水という順番で神具をお供えすると神様に喜ばれると考えられている。しかしながら一度お供えのために器を動かしてしまうと、その後はどの順番で何からお供えすべきか不明となってしまう。
【０００８】
本考案は、上記した課題を一例に鑑みて為されたものであり、簡易に移動が可能であるだけでなくお供えものをいったん動かしても容易に祀り具（神具）のお供え場所や種類などを把握可能な神棚シートを提供することを目的とする。
【課題を解決するための手段】
【０００９】
上記課題を解決するため、本考案の一実施形態にかかる神棚シートは、（１）載置面上に載置可能な神棚シートであって、前記神棚シートには、神棚と共に祀る少なくとも１種類の祀り具の配置箇所を示す祀り具配置マークが表示されてなる、
ことを特徴とする。
【００１０】
なお、上記した（１）に記載の神棚シートにおいては、（２）前記祀り具配置マークは、米をそなえる米用容器の配置箇所を示す米容器配置マーク、水をそなえる水用容器の配置箇所を示す水容器配置マーク、及び、塩をそなえる塩用容器の配置箇所を示す塩容器配置マークが含まれることが好ましい。
【００１１】
また、上記した（１）又は（２）に記載の神棚シートにおいては、（３）前記米容器配置マーク、前記水容器配置マーク及び前記塩容器配置マークには、前記神棚シートへの設置順序を示す設置番号マークがさらに添付されてなることが好ましい。
【００１２】
また、上記した（１）〜（３）のいずれかに記載の神棚シートにおいては、（４）前記祀り具マークは、酒をそなえる酒用容器の配置箇所を示す酒容器配置マーク、及び、榊をそなえる榊用容器の配置箇所を示す榊容器配置マーク、がさらに含まれることが好ましい。
【００１３】
また、上記した（１）〜（４）のいずれかに記載の神棚シートにおいては、（５）前記神棚の配置箇所を示す神棚配置マークがさらに表示されてなることが好ましい。
また、上記した（１）〜（５）のいずれかに記載の神棚シートにおいては、（６）前記神棚シートは、表面に対候性コーティングが施されたシートであることが好ましい。
【００１４】
また、上記した（１）〜（６）のいずれかに記載の神棚シートにおいては、（７）前記神棚シートは、少なくとも２色の色分けが施されたシートであることが好ましい。
【考案の効果】
【００１５】
本考案によれば、簡易に移動が可能であるだけでなくお供えものをいったん動かしても容易に神具のお供え順を把握することが可能となる。
【図面の簡単な説明】
【００１６】
【図１】本考案に係る神棚シートの外観図である。
【図２】本考案の神棚シートに神棚や祀り具が配置された例を示す図である。
【図３】本考案の神棚シートに神棚や祀り具が配置された他の例を示す図である。
【図４】変形例１に係る神棚シートの外観図である。
【図５】変形例２に係る神棚シートの外観図である。
【図６】変形例３に係る神棚シートの外観図である。
【考案を実施するための形態】
【００１７】
続いて図面を適宜参照しつつ本考案を実施するための実施形態について説明する。
＜神棚シート１００＞
本実施形態における神棚シート１００は、神社からいただいたお札や先祖の霊を祀るために載置面２００上に載置可能であって、図１〜図３に示されるとおり、神棚配置マーク１０及び祭り具配置マーク２０を含んで構成されている。なお、後述する変形例３にも例示されるように、本実施形態の神棚シート１００は、上記した神棚配置マーク１０を必須とするのではなく適宜これを省略してもよい。
【００１８】
より具体的には、神棚シート１００は、例えば５５ｋｇ（厚さの目安０．０８ｍｍ）程度の薄紙から２２０ｋｇ（厚さの目安０．２５ｍｍ）程度の厚紙など種々の厚みを有する紙製シートや、これと同程度の厚みを有する公知の樹脂からなる樹脂製シートや、アルミニウムなど公知の金属からなる金属製シートが例示できる。また、本実施形態における神棚シート１００は、上記の材質の他に、例えば綿や麻あるいは絹など公知の天然繊維やナイロンやポリエステルなど公知の合成繊維のいずれかで構成された繊維製シートの形態であってもよい。
【００１９】
かような神棚シート１００に添加される神棚配置マーク１０及び祭り具配置マーク２０は、例えば公知の水性又は油性のインクなどによって印刷して表示することができる。また、本考案の神棚配置マーク１０及び祭り具配置マーク２０は、神棚シート１００にインク等で印刷される態様の他に、例えば神棚シート１００の表面に対して微小な凹部を複数形成することでこれらのマークを神棚シート１００の表面に形成してもよい。
【００２０】
なお本考案の神棚シート１００は、例えば表面に対候性コーティングが施されていてもよい。かような対候性コーティングとしては、例えば紙、樹脂あるいは金属製シートの表面に塗布可能なフッ素コーティングなど公知の撥液処理や、この神棚シート１００上に更に樹脂シートなど公知の対候性シートを被覆する態様などが例示できる。
【００２１】
また、本考案の神棚シート１００は、例えば少なくとも２色の色分けが施されていてもよい。より具体的には、例えば神棚シート１００の基調を白色としつつ、神棚配置マーク１０及び祭り具配置マーク２０を白以外の有色マークすることが例示できる。また、このとき、神棚配置マーク１０及び祭り具配置マーク２０は、互いに異なる配色となっていてもよいし、同色のマークとなっていてもよい。
【００２２】
神棚配置マーク１０は、例えば図２及び図３も合わせ参照すると理解されるとおり、神棚シート１００内において神棚３０を配置する箇所を示す機能を有している。神棚３０には、図２や図３に例示するように、例えばお札Ｆ１や御朱印帳Ｆ２などを祀ることができる。なお神棚３０には、簡易的な神鏡など三種の神器を含む他の神具を祀ってもよい。
【００２３】
祭り具配置マーク２０は、同様に図２及び図３も合わせ参照すると理解されるとおり、神棚シート１００内において神棚３０と共に祀る少なくとも１種類の祀り具の配置箇所を示す機能を有している。
【００２４】
より具体的には、図１〜図３に示すように、本実施形態における祭り具配置マーク２０は、米をそなえる米用容器３１の配置箇所を示す米容器配置マーク２１、水をそなえる水用容器３２の配置箇所を示す水容器配置マーク２２、及び、塩をそなえる塩用容器３３の配置箇所を示す塩容器配置マーク２３などが含まれる。
【００２５】
なお、これら米容器配置マーク２１、水容器配置マーク２２及び塩容器配置マーク２３の表示態様としては、その種別が判別可能な限りにおいて種々の表示態様が適用でき、例えば図示されるようにそれぞれを示すイラストの他、漢字やアルファベットなどの文字による表示態様が例示できる。
【００２６】
なお図１に示すように、本考案の祭り具配置マーク２０には、上記に加え、酒をそなえる酒用容器３４の配置箇所を示す酒容器配置マーク２４、及び、榊をそなえる榊用容器３５の配置箇所を示す榊容器配置マーク２５がさらに含まれていることが好ましい。
【００２７】
また、これら酒容器配置マーク２４及び榊容器配置マーク２５の表示態様としても、上記した他のマークと同様に、その種別が判別可能な限りにおいて種々の表示態様が適用でき、例えば図示されるようにそれぞれを示すイラストの他に漢字やアルファベットなどの文字による表示態様が例示できる。
【００２８】
さらに本考案では、図１に示すように、祭り具配置マーク２０には、神棚シート１００への設置順序を示す設置番号マークＮＭがさらに添付されていることが好ましい。より具体的には、例えば米、酒、塩および水という順番で神具をお供えすることが良いとされる場合には、米容器配置マーク２１には順番が「１」であることを示す表示、酒容器配置マーク２４には順番が「２」であることを示す表示、塩用容器３３には順番が「３」であることを示す表示、及び水用容器３２には順番が「４」であることを示す表示がそれぞれ添付されていてもよい。
【００２９】
なお上記した順番は一例であって、本考案はこの配置順序には限定されない。すなわち、本考案の設置番号マークＮＭは、例えば神棚にお祀りする神様などによってそれぞれ適した順序で祀り具に番号を設定することができる。
【００３０】
また、本考案では上記のとおり祀り具配置マーク２０に対して設置番号マークを添付する例を説明したが、さらに神棚配置マーク１０に対しても設置番号マークを添付してもよい。この場合には、神棚配置マーク１０と祀り具配置マーク２０のトータルで設置順番を規定する設置番号マークＮＭをそれぞれのマークに対して添付することができる。
【００３１】
なお本考案の設置番号マークＮＭは、本例では数字によるマークとなっているが、この形態に限られない。すなわち、設置番号マークＮＭとしては、上記の他に、例えば点の数、文字、記号など順番を把握可能な態様であれば公知の種々の順序指標のマークを適用することができる。
【００３２】
＜神棚および祭り具の設置＞
次に図２及び図３を適宜参照しつつ、本実施形態における神棚シート１００への神棚および祀り具の設置態様について説明する。
【００３３】
上述したとおり、比較的狭い空間となる日本家屋では、いったん設置した神棚自体や祀り具を移動させたい需要も想定できる。また、比較的時間が経過すると、神棚などに付着したホコリなどを除去したい需要も考えられる。
【００３４】
そこで、本考案の神棚シート１００では、これら神棚３０や祀り具をいったん神棚シート１００から移動させた後に、例えば当該シートなどを掃除したり設置場所を移動させたりする。その後は、この神棚シート１００に表示された神棚配置マーク１０及び祭り具配置マーク２０に従って、それぞれ神棚３０や各種の米用容器３１や水用容器３２などをそれぞれマークで示される箇所に配置する。
【００３５】
なお、上述のとおり、祭り具配置マーク２０は複数の種類があることから、これらの祭り具配置マーク２０に対して更に設置番号マークＮＭが添付されている場合には、その順序に従って容易に適正な順番で神棚を設営することが可能となる。
【００３６】
なお上記した実施形態は、本考案の趣旨を逸脱しない範囲で下記のごとく種々の変形が可能である。すなわち上記した実施形態は一例であって、本実施形態で示した構造に対して上記した特許文献に開示された公知の要素を適宜組み合わせることもできる。
【００３７】
＜変形例１＞
図４に変形例１に係る神棚シート１００を示す。同図に示すように、祀り具配置マーク２０は、必ずしも上記した５種類を神棚シート１００に表示することを要せず、例えば米容器配置マーク２１、水容器配置マーク２２及び塩容器配置マーク２３を神棚シート１００に表示する態様であってもよい。
【００３８】
＜変形例２＞
図５に変形例２に係る神棚シート１００を示す。同図に示すように、祀り具配置マーク２０は、図１に示すように円弧上に所定の間隔を有して配置される態様に限られず、例えばこれらの祀り具配置マーク２０が所定の間隔を有して直線上に並置される態様であってもよい。
【００３９】
＜変形例３＞
図６に変形例３に係る神棚シート１００を示す。同図に示すように、変形例３に係る神棚シート１００は、神棚配置マーク１０は具備されておらず祭り具配置マーク２０を有する構成となっている。換言すれば、本考案における神棚シート１００は、祀り具（神具）だけが載るものであってもよい。
【００４０】
また、図６では、祭り具配置マーク２０として、米容器配置マーク２１、水容器配置マーク２２、塩容器配置マーク２３、酒容器配置マーク２４及び榊容器配置マーク２５が表示されているが、これらのうち少なくとも１種類の祀り具のマークが表示される形態であってもよい。
【００４１】
また、図６においては、神棚シート１００への設置順序を示す設置番号マークＮＭも表示されているが、この設置番号マークＮＭも適宜省略されていてもよい。
さらに、祀り具配置マーク２０は、円弧上に所定の間隔を有して配置されているが、この態様に限られず、例えば図４や図５に例示するように祀り具配置マーク２０が所定の間隔を有して直線上に並置される態様であってもよい。
【産業上の利用可能性】
【００４２】
以上説明したように、本考案は、簡易移動が可能で祀り具の設置場所も容易に把握可能な神棚シートを実現するのに適している。
【符号の説明】
【００４３】
１００  神棚シート
１０  神棚配置マーク
２０  祀り具配置マーク
２１  米容器配置マーク
２２  水容器配置マーク
２３  塩容器配置マーク
２４  酒容器配置マーク
２５  榊容器配置マーク
３０  神棚
３１  米用容器
３２  水用容器
３３  塩用容器
３４  酒用容器
３５  榊用容器
Ｆ１  お札
Ｆ２  御朱印帳
【図１】
0003232292.tif 000003
【図２】
0003232292.tif 000004
【図３】
0003232292.tif 000005
【図４】
0003232292.tif 000006
【図５】
0003232292.tif 000007
【図６】
0003232292.tif 000008